(57)【要約】【課題】腰から骨盤にわたってサポートすることができ、また、腰痛、坐骨神経痛、股関節の痛みなども和らげることができる健康ベルトを提供すること。【解決手段】一対の係着部２，４と、一対の係着部２，４間に延びる股関節ベルト部６及び腰椎ベルト部８と、を備えた健康ベルト。股関節ベルト部６には、その長手方向に間隔をおいて一対の環跳押圧部２４，２６が設けられ、腰椎ベルト部８には、その長手方向に間隔をおいて一対の大腸喩／気海喩押圧部４２，４４が設けられている。また、股関節ベルト部６の環跳サポート部２８，３０にはマイナスイオンを放出する第１のイオン放出部が設けられ、腰椎ベルト部８の大腸喩／気海喩サポート部４６にはマイナスイオンを放出する第２のイオン放出部が設けられている。【選択図】　　　図１
2004033356.tif 000002
【特許請求の範囲】
【請求項１】
相互に係着される一対の係着部と、前記一対の係着部間に延びる股関節ベルト部及び腰椎ベルト部と、を備えた健康ベルトにおいて、
前記股関節ベルト部には、その長手方向に間隔をおいて一対の環跳押圧部が設けられ、前記腰椎ベルト部には、その長手方向に間隔をおいて一対の大腸喩／気海喩押圧部が設けられていることを特徴とする健康ベルト。
【請求項２】
前記股関節ベルト部には、前記一対の環跳押圧部に対応して環跳サポート部が設けられ、前記環跳サポート部にはマイナスイオンを放出する第１のイオン放出部が設けられ、また前記腰椎ベルト部には、前記一対の大腸喩／気海喩押圧部に対応して大腸喩／気海喩サポート部が設けられ、前記大腸喩／気海喩サポート部にはマイナスイオンを放出する第２のイオン放出部が設けられていることを特徴とする請求項１記載の健康ベルト。
【請求項３】
前記第１及び第２のイオン放出部は、裏面側から表面側に向けて起毛する起毛状織物と、この起毛状織物の裏面に印刷されたイオン発生材料から構成されていることを特徴とする請求項２記載の健康ベルト。
【請求項４】
前記股関節ベルト部及び前記腰椎ベルト部は長手方向に伸縮可能であり、前記股関節ベルト部及び前記腰椎ベルト部の織り方向と前記起毛状織物の織り方向とは相互に実質上４５度の角度ずれていることを特徴とする請求項３記載の健康ベルト。
【請求項５】
前記腰椎ベルト部は前記一対の係着部から１０〜２０度の角度でもって上方に延び、前記股関節ベルト部は前記一対の係着部から５〜１５度の角度でもって下方に延び、前記腰椎ベルト部と前記股関節ベルト部とは２０〜３０度の角度ずれて延びていることを特徴とする請求項１〜４のいずれかに記載の健康ベルト。
【請求項６】
前記股関節ベルト部は相互に縫い付けられる一対の股関節用ベルト片から構成され、前記一対の股関節用ベルト片の相互に縫い付けられる端部は、それらの下部が下方に向けて長手方向内側に傾斜してカットされていることを特徴とする請求項１〜５のいずれかに記載の健康ベルト。
【発明の詳細な説明】
【０００１】
【発明の属する技術分野】
本発明は、腰椎部並びに骨盤及び股関節をサポートする健康ベルトに関する。
【０００２】
【従来の技術】
健康ベルトとして、例えば、実用新案登録第３０１４８２９号公報に開示されたものが知られている。この健康ベルトは、相互に着脱自在に係着される一対の係着部と、一対の係着部間に延びる股関節ベルト部及び腰椎ベルト部とを備え、股関節ベルト部が腰椎ベルト部よりも幾分下方に垂れるように設けられる。このような健康ベルトでは、股関節ベルト部で骨盤を包むように、また腰椎ベルト部で腰を巻くように用いられ、このように身に付けると、股関節ベルト部が骨盤及び股関節をサポートし、また腰椎ベルト部が腰椎部を固定し、腰から骨盤にわたってサポートして腰を安定させることができる。
【０００３】
【発明が解決しようとする課題】
このような健康ベルトでは、股関節ベルト部及び腰椎ベルト部によるサポート効果は得られるが、その他の効果、例えば腰痛、坐骨神経痛、股関節の痛みなどを抑える効果はなく、サポート効果に加えてこれらの痛みを和らげる健康ベルトの実現が望まれていた。
【０００４】
本発明の目的は、腰から骨盤にわたってサポートすることができるとともに、腰痛、坐骨神経痛、股関節の痛みなども和らげることができる健康ベルトを提供することである。
【０００５】
【課題を解決するための手段】
本発明は、相互に係着される一対の係着部と、前記一対の係着部間に延びる股関節ベルト部及び腰椎ベルト部と、を備えた健康ベルトにおいて、
前記股関節ベルト部には、その長手方向に間隔をおいて一対の環跳押圧部が設けられ、前記腰椎ベルト部には、その長手方向に間隔をおいて一対の大腸喩／気海喩押圧部が設けられていることを特徴とする。
【０００６】
本発明に従えば、股関節ベルト部に一対の環跳押圧部が設けられ、腰椎ベルト部に一対の大腸喩／気海喩押圧部が設けられているので、一対の係着部を着脱自在に係着して身体に付けると、一対の環跳押圧部が、股関節付近のツボである環跳を押圧し、また一対の大腸喩／気海喩押圧部が、腰椎、腰骨付近のツボである大腸喩及び／又は気海喩を押圧する。従って、環跳押圧部による押圧により、環跳に適度の刺激が与えられ、股関節の痛みが和らげられる。また、大腸喩／気海喩押圧部による押圧により、大腸喩及び／又は気海喩に適度の刺激が与えられ、坐骨神経痛、腰痛が和らげられる。また、股間節ベルト部により股関節及び骨盤をサポートすることができ、また腰椎ベルト部により腰を固定して安定させることができる。尚、環跳押圧部及び大腸喩／気海喩押圧部は、例えば、鋼球などの押圧球から構成される。また、一対の係着部は、凹状及び凸状の面ファスナなどから構成される。
【０００７】
また、本発明では、前記股関節ベルト部には、前記一対の環跳押圧部に対応して環跳サポート部が設けられ、前記環跳サポート部にはマイナスイオンを放出する第１のイオン放出部が設けられ、また前記腰椎ベルト部には、前記一対の大腸喩／気海喩押圧部に対応して大腸喩／気海喩サポート部が設けられ、前記大腸喩／気海喩サポート部にはマイナスイオンを放出する第２のイオン放出部が設けられていることを特徴とする。
【０００８】
本発明に従えば、股関節ベルト部には環跳押圧部に対応して環跳サポート部が設けられ、環跳サポート部に第１のイオン放出部が設けられているので、第１のイオン放出部からのマイナスイオンが環跳及びその周囲に放出され、このマイナスイオンのパワーにより、環跳及びその周囲の血行促進、血液の浄化、新陳代謝の促進などの効果が得られる。また、大腸喩／気海喩押圧部に対応して大腸喩／気海喩サポート部が設けられ、大腸喩／気海喩サポート部に第２のイオン放出部が設けられているので、第２のイオン放出部からのマイナスイオンが大腸喩及び／又は気海喩並びにその（又はそれらの）周囲に放出され、このマイナスイオンのパワーにより、大腸喩及び／又は気海喩並びにその（又はそれらの）周囲の血行促進、血液の浄化、新陳代謝の促進などの効果が得られる。
【０００９】
また、本発明では、前記第１及び第２のイオン放出部は、裏面側から表面側に向けて起毛する起毛状織物と、この起毛状織物の裏面に印刷されたイオン発生材料から構成されていることを特徴とする。
【００１０】
本発明に従えば、第１及び第２のイオン放出部は、裏面側から表面側に向けて起毛する起毛状織物と、この織物の裏面に印刷されたイオン発生材料から構成されているので、イオン発生材料から発生したイオンは起毛状織物を通して表側に放出され易く、マイナスイオンによる効果を効果的に得ることができる。
【００１１】
また、本発明では、前記股関節ベルト部及び前記腰椎ベルト部は長手方向に伸縮可能であり、前記股関節ベルト部及び前記腰椎ベルト部の織り方向と前記起毛状織物の織り方向とは相互に実質上４５度の角度ずれていることを特徴とする。
【００１２】
本発明に従えば、股関節ベルト部及び腰椎ベルト部は長手方向に伸縮自在であるので、股関節ベルト部及び腰椎ベルト部を幾分伸長した状態にすることによって、股関節ベルト部によって、ヒップ部、即ち骨盤をサポートすることができ、また腰椎ベルト部によって腰椎部を固定して腰を安定させることができる。また、股関節ベルト部及び腰椎ベルト部の織り方向と第１及び第２のイオン放出部の起毛状織物の織り方向とは相互に実質上４５度の角度ずれているので、股関節ベルト部及び腰椎ベルト部を長手方向に幾分伸長状態に保っても、第１及び第２のイオン放出部の起毛状織物はほとんど伸張することはなく、これによって、股関節ベルト部の環跳押圧部がツボの環跳をある程度の強さで押圧するとともに、大腸喩／気海喩押圧部がツボの大腸及び／又は気海喩をある程度の強さで押圧し、これら押圧部による所望の押圧効果が得られる。
【００１３】
また、本発明では、前記腰椎ベルト部は前記一対の係着部から１０〜２０度の角度でもって上方に延び、前記股関節ベルト部は前記一対の係着部から５〜１５度の角度でもって下方に延び、前記腰椎ベルト部と前記股関節ベルト部とは２０〜３０度の角度ずれて延びていることを特徴とする。
【００１４】
本発明に従えば、腰椎ベルト部は一対の係着部から上方に延び、股関節ベルト部は一対の係着部から下方に延び、腰椎ベルト部と股関節ベルト部とは２０〜３０度の角度ずれて延びているので、一対の係着部を着脱自在に係着して身に付けることにより、腰椎ベルト部でもって腰を締め付けて固定し、腰を安定して保持することができるとともに、股関節ベルト部でもって股関節及び骨盤を締め付けてヒップ部を所要の通りにサポートすることができる。
【００１５】
また、本発明では、前記股関節ベルト部は相互に縫い付けられる一対の股関節用ベルト片から構成され、前記一対の股関節用ベルト片の相互に縫い付けられる端部は、それらの下部が下方に向けて長手方向内側に傾斜してカットされていることを特徴とする。
【００１６】
本発明に従えば、一対の股関節用ベルト片の下部が下方に向けて長手方向内側に傾斜してカットされているので、これらベルト片の端部を縫い合わすことによって、股関節ベルト部の長手方向中央部における下部はヒップ部にフィットしてずれ難くなり、股関節ベルト部のずれを効果的に防止することができるとともに、ヒップアップ効果をも得ることができる。
【００１７】
【発明の実施の形態】
以下、添付図面を参照して、本発明に従う健康ベルトの一実施形態について説明する。図１は、本発明に従う健康ベルトの一実施形態を示す斜視図であり、図２は、図１の健康ベルトを示す正面図であり、図３は、図１の健康ベルトを構成要素毎に分解して示す分解図であり、図４は、図１の健康ベルトにおける起毛状織物及びそれに印刷されたイオン発生材料を、左側は背面側から、右側は正面側から見たところを示す図であり、図５は、図１の健康ベルトを装着した状態を背中側から示す図であり、図６は、図１の健康ベルトを装着した状態を脇腹側から示す図である。
【００１８】
図１〜図３において、図示の健康ベルトは、一対の係着部２，４と、一対の係着部２，４間を延びる股関節ベルト部６及び腰椎ベルト部８と、から構成されている。股関節ベルト部６及び腰椎ベルト部８の一端部は一方の係着部２の内側端部（図２において右側端部）に縫い合わされて一体的になっており、またそらの他端部は他方の係着部４の内側端部（図２において左側端部）に縫い合わされて一体的になっている。この実施形態では、一方の係着部２は他方の係着部４よりも長さ方向（図２において左右方向）の長さが短く形成されており、このことに関連して、一方の係着部２が他方の係着部４の適宜の部位に着脱自在に係着されるように構成されている。
【００１９】
この形態では、一方の係着部２の内面（図２に示す面）側には凸状の面ファスナ１０が設けられ、その外面（図２に示す面の裏面）側はネット状の編物１２（図１参照）から構成されている。また。他方の係着部４の内面（図２に示す面）はネット状の編物１４から構成され、その外面（図２に示す面の裏面）には凹状の面ファスナ１６が設けられている（図１参照）。従って、一方の係着部２の内面（凸状の面ファスナ１０）を他方の係着部４の外面（凹状の面ファスナ１６）に押し付けることによって、係着部２，４を相互に着脱自在に係着することができる。この形態では、一方の係着部２に凸状の面ファスナ１０を設け、他方の係着部４に凹状の面ファスナ１６を設けているが、これとは反対に、一方の係着部２に凹状の面ファスナを設け、他方の係着部４に凸状の面ファスナを設けるようにしてもよい。また、これら面ファスナに代えて、係合爪部とこの係合爪部が着脱自在に係合される係合リング部とを用いるようにしてもよい。また、このような構成に代えて、一方の係着部２を他方の係着部４よりも長さ方向の長さを長くし、他方の係着部４の内面を一方の係着部２の外面に着脱自在に係着するようにしてもよい。
【００２０】
この実施形態では、股関節ベルト部６は一対の股関節用ベルト片１８，２０から構成され、これらはほぼ同じ大きさに形成されている。一対の股関節用ベルト片１８，２０の内側端部は相互に重ね合わせて縫い付けられるが、これら縫い付けられる端部は、図３に示すように、それらの下部、例えば下端縁から１／２〜２／３までの部位が下方（図３において下方）に向けて長手方向内側に直線状に傾斜してカットされており、この傾斜カット角度α１（図３）が５〜１５度程度、例えば１０度に形成される。股関節用ベルト片１８，２０の下端部をこのように傾斜カットし、これらを重ねて縫い合わせることによって、両者の縫い付け部の下部が上部に比して寄せ合った状態で縫い付けられるようになり、従って、股関節ベルト部６は装着者のヒップにフィットしてずれ難い形状にすることができ、またこれによってヒップアップ効果を持たすことができる。一方、腰椎ベルト部８は一つの腰椎用ベルト片２２から構成されている。尚、この腰椎ベルト部８についても、股関節ベルト部６と同様に、縫い付けて形成するようにしてもよい。
【００２１】
一対の係着部２，４と股関節ベルト部６（一対の股関節用ベルト片１８，２０）及び腰椎ベルト部８とは、次のようにして縫い合わされる。一対の係着部２，４の内側端縁２ａ，４ａは、図３に示すように、それらの上縁から下縁に向けて実質上垂直に直線状にカットされ、実質上垂直に延びている。これに対し、股関節ベルト部６の両端縁６ａ，６ｂ（一対の股関節用ベルト片１８，２０の相互に縫い合わされる端部とは反対側の端縁）は、その上縁から下縁に向けて長手方向（図２及び図３において左右方向）内側に傾斜してカットされ、その傾斜角度α２が５〜１５度、例えば１０度となるように延びている。また、腰椎ベルト部８の両端縁８ａ，８ｂは、その上縁から下縁に向けて長手方向（図２及び図３において左右方向）外側に傾斜してカットされ、その傾斜角度α３が１０〜２０度、例えば１５度となるように延びている。
【００２２】
一方の係着部２の内側端部と股関節ベルト部６及び腰椎ベルト部８の一端部とは、相互に重ねて縫い合わされ、また、他方の係着部４の内側端部と股関節ベルト部６及び腰椎ベルト部８の他端部とは、相互に重ねて縫い合わされ、このように縫い付けることによって、図２に示すように、股関節ベルト部６は一対の係着部２，４から第１所定角度α２（この角度は股関節ベルト部６の端縁６ａ，６ｂの傾斜角度α２に対応する）、例えば１０度の角度でもって下方に延び、腰椎ベルト部８は一対の係着部２，４から第２所定角度（この角度は腰椎ベルト部８の端縁８ａ，８ｂの傾斜角度α３に対応する）、例えば１５度の角度でもって上方に延び、股関節ベルト部６と腰椎ベルト部８とは、一対の係着部２，４から例えば２５度の角度ずれて延びている。このように構成することによって、一対の係着部２，４を所要の通りに係着すると、図５及び図６に示すように、股関節ベルト部６は装着者Ｈのヒップ部にフィットしてこれを持ち上げるようにサポートし、また腰椎ベルト部８は腰にフィットしてこれを固定し、安定して保持する。尚、股関節ベルト部６と腰椎ベルト部８とのずれ角度（α２＋α３）は、この形態では２５度であるが、装着者Ｈの体型などを考慮して、２０〜３０度の適宜の角度にすることができる。
【００２３】
この形態では、股関節ベルト部６及び腰椎ベルト部８は長手方向に伸縮自在である織りゴムから構成され、一対の係着部２，４を係着する際、股関節ベルト部６及び腰椎ベルト部８が幾分伸張された状態に保持されるように係着される。このように幾分伸張状態に保つことによって、股関節ベルト部６が装着者Ｈのヒップ部を締め付けて持ち上げるように作用し、これによってヒップ部を確実にサポートすることができ、また、腰椎ベルト部８が装着者Ｈの腰を締め付け、より安定して腰を固定することができる。
【００２４】
股関節ベルト部６には、長手方向に間隔をおいて一対の環跳押圧部２４，２６が設けられ、これら環跳押圧部２４，２６に対応して環跳サポート部２８，３０が設けられ、環跳サポート部２８，３０にマイナスイオンを放出する第１のイオン放出部が設けられている。この実施形態では、環跳サポート部２８，３０の全域に第１のイオン放出部が設けられ、この第１のイオン放出部がフレンチパイルの如き起毛状織物３２，３４から構成され、この起毛状織物３２，３４の裏面に、マイナスイオンを発生するイオン発生材料３７が塗布されている。イオン発生材料３７としては、例えば、長石、アロフェンなどの天然鉱石と特殊セラミックをブレンドした黒体などが用いられ、黒体を用いた場合、１ｃｍ３当たり２７００〜３０００個のマイナスイオンを発生して放出する。起毛状織物３２，３４では、多数の起毛は裏面側から表面側に起毛しており、このように起毛させることによって、イオン発生材料３７から発生するマイナスイオンは起毛状織物３２，３４を通して表側に所要の通りに放出される。
【００２５】
イオン発生材料３２は、例えば、多数の小円形状に塗布され、例えば発泡プリントによって塗布される。イオン発生材料３７を起毛状織物３２，３４の全域にプリントした場合、健康ベルトの装着、取外し時などにおいてイオン発生材料３７が破損して剥がれるおそれがあるが、比較的小さい形状のものを間隔をおいて設けることによって、曲げなどによる剥がれも防止でき、健康ベルトの取り扱いが容易となる。イオン発生材料３７のプリントは、例えば、直径が３〜１０ｍｍ程度の大きさとなるように行われる。尚、イオン材料３７は、矩形、星形、三角形、六角形などの適宜の形状にプリントすることができる。
【００２６】
環跳押圧部２４，２６は、例えば鋼球の如き押圧球３６，３８から構成される。押圧球３６，３８は、股関節ベルト部６と環跳サポート部２８，３０の起毛状織物３２，３４との間に配設され、押圧球３６，３８の周囲を縫い付けることによって、股関節ベルト部６及び起毛状織物３２，３４間の所定部位に固定され、このように構成することによって、押圧球３６，３８は起毛状織物３２，３４を介して装着者Ｈに作用する。このような押圧球３６，３８は、例えば直径５〜８ｍｍ程度のものが用いられる。
【００２７】
このように環跳押圧部２４，２６を設けることによって、装着時に環跳押圧部２４，２６がツボの環跳を押圧し、環跳に適度の刺激を与え、股関節の痛みなどを和らげることができる。また、環跳及びその周囲にイオン発生材料３７からのマイナスイオンが放出されるので、マイナスイオンのパワーによって、環跳及びその周囲の血行が促進され、血液の浄化が行われ、また新陳代謝の促進が行われる。また、イオン発生材料３７として黒体を用いた場合、黒体による脱臭効果も得られる。
【００２８】
腰椎ベルト部８には、長手方向に間隔をおいて一対の大腸喩／気海喩押圧部４２，４４が設けられ、これら大腸喩／気海喩押圧部４２，４４に対応して、大腸喩／気海喩サポート部４６が設けられ、この大腸喩／気海喩サポート部４６にマイナスイオンを放出する第２のイオン放出部が設けられている。この実施形態では、大腸喩／気海喩サポート部４６の全域に第２のイオン放出部が設けられ、この第２のイオン放出部は、形状が異なるが、その基本的構成については上述した第１のイオン放出部と実質上同様であり、起毛状織物４８から構成され、この起毛状織物４８の裏面に、マイナスイオンを発生するイオン発生材料（図示せず）が塗布されている。
【００２９】
大腸喩／気海喩押圧部４２，４４は、上述した環跳押圧部２４，２６と同様に、押圧球５０，５２から構成され、股関節ベルト部８と大腸喩／気海喩サポート部４６の起毛状織物４８との間の所定部位に固定され、このように構成することによって、押圧球５０，５２は起毛状織物４８を介して装着者Ｈに作用する。このような押圧球５０，５２は、環跳押圧部２４，２６の押圧球３６，３８よりも幾分大きいもの、例えば直径７〜１２ｍｍ程度のものが用いられる。
【００３０】
このように大腸喩／気海喩押圧部４２，４４を設けることによって、装着時に大腸喩／気海喩押圧部４２，４４がツボの大腸喩及び／又は気海喩を押圧し、大腸喩及び／又は気海喩に適度の刺激を与え、坐骨神経痛、腰痛などを和らげることができるとともに、下痢、便秘などの効果も得られる。また、大腸喩及び／又は気海喩並びにその（又はそれらの）周囲にイオン発生材料からのマイナスイオンが放出されるので、マイナスイオンのパワーによってかかる部位の血行促進、血液浄化、新陳代謝が促進される。
【００３１】
この実施形態では、股関節ベルト部６及び腰椎ベルト部８は長手方向に伸縮自在であるので、その織り方向はこの長手方向及び長手方向に垂直な方向になっている。これに対し、第１のイオン放出部（環跳サポート部２８，３０）の起毛状織物３２，３４及び第２のイオン放出部（大腸喩／気海喩サポート部４６）の起毛状織物４８の織り方向は、長手方向に対して実質上４５度ずれた方向及び長手方向に垂直な方向に対して実質上４５度ずれた方向になっている。股関節ベルト部６及び腰椎ベルト部８の織り方向と起毛状織物３２，３４，４８の織り方向とを上述した関係にすることによって、股関節ベルト部６及び腰椎ベルト部８が長手方向に幾分伸張しても起毛状織物３２，３４，４８はこの方向にほとんど伸張することはなく、これによって、股関節ベルト部６及び腰椎ベルト部８が幾分伸張した状態においては、環跳押圧部２４，２６及び大腸喩／気海喩押圧部４２，４４に適度の押圧力が付与され、環跳押圧部２４，２６は適度の押圧力で環跳を押圧し、大腸喩／気海喩押圧部４２，４４は適度の押圧力で大腸喩及び／又は気海喩を押圧する。
【００３２】
このような健康ベルトは、一対の係着部２，４を着脱自在に係着することによって、図５及び図６に示すようにして取り付けて使用される。このような装着状態におては、股関節ベルト部６がヒップ部を充分にサポートし、その環跳押圧部２４，２６がツボの環跳を適度の押圧力でもって押圧し、これによって適度の刺激が与えられ、股関節の痛みなどが和らげられる。また、腰椎ベルト部８が腰を安定して固定し、その大腸喩／気海喩押圧部４２，４４がツボの大腸喩及び／又は気海喩を適度の押圧力でもって押圧し、これによって適度の刺激が与えられ、坐骨神経痛、腰痛などが和らげられる。
【００３３】
以上、本発明に従う健康ベルトの一実施形態について説明したが、本発明はかかる実施形態に限定されるものではなく、本発明の範囲を逸脱することなく種々の変形乃至修正が可能である。
【００３４】
例えば、図示の実施形態では、環跳押圧部２４，２６及び大腸喩／気海喩押圧部４２，４４を固定的に設けているが、環跳押圧部２４，２６及び／又は大腸喩／気海喩押圧部４２，４４を取付調整可能に設けるようにしてもよい。この場合、例えば、押圧球３６，３８及び／又は押圧球５０，５２をそれぞれ凸状の面ファスナで包み、各面ファスナを対応する環跳サポート部２４，２６及び／又は大腸喩／気海喩サポート部４８に着脱自在に係着するようにすればよい。
【００３５】
【発明の効果】
本発明の請求項１の健康ベルトによれば、股関節ベルト部に一対の環跳押圧部が設けられ、腰椎ベルト部に一対の大腸喩／気海喩押圧部が設けられているので、一対の環跳押圧部でもってツボの環跳を押圧することができ、また一対の大腸喩／気海喩押圧部でもってツボの大腸喩及び／又は気海喩を押圧することができる。従って、環跳押圧部及び大腸喩／気海喩押圧部による押圧により、これらツボに適度の刺激を与えることができ、股関節の痛み、坐骨神経痛、腰痛などを和らげることができる。
【００３６】
また、本発明の請求項２の健康ベルトによれば、股関節ベルト部には各環跳押圧部に対応して環跳サポート部が設けられ、この環跳サポート部に第１のイオン放出部が設けられているので、第１のイオン放出部からのマイナスイオンが環跳及びその周囲に放出される。また、大腸喩／気海喩押圧部に対応して大腸喩／気海喩サポート部が設けられ、この大腸喩／気海喩サポート部に第２のイオン放出部が設けられているので、第２のイオン放出部からのマイナスイオンが大腸喩及び／又は気海喩並びにその（又はそれらの）周囲に放出される。そして、これらのマイナスイオンのパワーにより、血行促進、血液の浄化、新陳代謝の促進などの効果を得ることができる。
【００３７】
また、本発明の請求項３の健康ベルトによれば、第１及び第２のイオン放出部は、裏面側から表面側に向けて起毛する起毛状織物を備え、この織物の裏面にイオン発生材料がプリントされているので、イオン発生材料からのイオンは起毛状織物を通して表側に放出され易く、マイナスイオンによる効果を効果的に得ることができる。
【００３８】
また、本発明の請求項４の健康ベルトによれば、股関節ベルト部及び腰椎ベルト部の織り方向と第１及び第２のイオン放出部の起毛状織物の織り方向とは相互に実質上４５度の角度ずれているので、股関節ベルト部及び腰椎ベルト部を長手方向に幾分伸長状態に保っても、第１及び第２のイオン放出部の起毛状織物はほとんど伸張することはなく、これによって、環跳押圧部及び大腸喩／気海喩押圧部がツボを適度の強さで押圧し、適度の刺激を得ることができる。
【００３９】
また、本発明の請求項５の健康ベルトによれば、腰椎ベルト部は一対の係着部から上方に延び、股関節ベルト部は一対の係着部から下方に延び、腰椎ベルト部と股関節ベルト部とは２０〜３０度の角度ずれて延びているので、腰椎ベルト部でもって腰を安定して固定することができるとともに、股関節ベルト部でもって股関節及び骨盤を所要の通りにサポートすることができる。
【００４０】
また、本発明の請求項６の健康ベルトによれば、一対の股関節用ベルト片の下部が下方に向けて長手方向内側に傾斜してカットされているので、これらベルト片の端部を縫い合わすことによって、股関節ベルト部の長手方向中央部における下部はヒップ部にフィットしてずれ難くなり、股関節ベルト部のずれを効果的に防止することができるとともに、ヒップアップ効果をも得ることができる。
【図面の簡単な説明】
【図１】本発明に従う健康ベルトの一実施形態を示す斜視図である。
【図２】図１の健康ベルトを示す正面図である。
【図３】図１の健康ベルトを構成要素毎に分解して示す分解図である
【図４】図１の健康ベルトにおける起毛状織物及びそれに印刷されたイオン発生材料を、左側は背面側から、右側は正面側から見たところを示す図である。
【図５】図１の健康ベルトを装着した状態を背中側から示す図である。
【図６】図１の健康ベルトを装着した状態を脇腹側から示す図である。
【符号の説明】
２，４　係着部
６　股関節ベルト部
８　腰椎ベルト部
１８，２０　股関節用ベルト片
２２　腰椎用ベルト片
２４，２６　環跳押圧部
２８，３０　環跳サポート部（第１のイオン放出部）
３６，３８，５０，５２　押圧球
３７　イオン発生材料
４２，４４　大腸喩／気海喩押圧部
４６　大腸喩／気海喩サポート部（第２のイオン放出部）
【図１】
2004033356.tif 000003
【図２】
2004033356.tif 000004
【図３】
2004033356.tif 000005
【図４】
2004033356.tif 000006
【図５】
2004033356.tif 000007
【図６】
2004033356.tif 000008